【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
タッチパネルへのタッチを解除することでオブジェクトの移動に関して指示可能なゲームにおいて、タッチを解除すべきタイミングである目標タイミングを取得するタイミング取得処理と、
前記タイミング取得処理で取得した前記目標タイミングを案内するための案内画像を、少なくとも、前記目標タイミングよりも前のタイミングから前記目標タイミングの間で変化させながら表示させる表示制御処理と、
タッチが解除されたタイミングと、前記タイミング取得処理で取得した前記目標タイミングとの関係に基づいて、前記オブジェクトの移動に関する制御を行う移動制御処理と、
をコンピュータに実行させるためのプログラム。
【請求項２】
前記タイミング取得処理は、前記タッチパネルにタッチが開始されたタイミングを起点として決定される前記目標タイミングを取得することを特徴とする請求項１に記載のプログラム。
【請求項３】
前記タイミング取得処理は、前記目標タイミングとして、前記目標タイミングの開始タイミングと、前記目標タイミングの終了タイミングとを取得することを特徴とする請求項１又は２に記載のプログラム。
【請求項４】
前記目標タイミングの開始タイミング及び前記目標タイミングの終了タイミングの組み合わせが予め複数定義されており、
前記タイミング取得処理は、前記複数の組み合わせから選択することを特徴とする請求項３に記載のプログラム。
【請求項５】
前記案内画像を変化させる期間となるタイミングが定められており、前記期間でタッチが解除されなかった場合、前記タイミング取得処理で前記目標タイミングを再び取得し、前記表示制御処理で前記案内画像を変化させながら表示させることを繰り返すことを特徴とする請求項１乃至４のいずれか１項に記載のプログラム。
【請求項６】
前記ゲームは、前記タッチパネルへのタッチを解除することで前記オブジェクトの移動を指示可能なゲームであり、
前記表示制御処理は、前記オブジェクトを移動させる目標位置を示す目標位置画像を表示させることを特徴とする請求項１乃至５のいずれか１項に記載のプログラム。
【請求項７】
前記タッチパネルがタッチされた状態でタッチ位置が変更された場合に、当該タッチ位置の変更に基づいて、前記目標位置画像の表示位置を変更する変更処理を前記コンピュータに実行させることを特徴とする請求項６に記載のプログラム。
【請求項８】
前記表示制御処理は、前記変更処理により前記目標位置画像の表示位置が変更された場合に、前記案内画像の表示位置を変更することを特徴とする請求項７に記載のプログラム。
【請求項９】
前記表示制御処理は、前記目標タイミングにおいて、前記案内画像と前記目標位置画像とが重なるように、前記案内画像を変化させながら表示させることを特徴とする請求項６乃至８のいずれか１項に記載のプログラム。
【請求項１０】
前記表示制御処理は、前記案内画像を、前記目標タイミングよりも前のタイミングから前記目標タイミングよりも後のタイミングの間で変化させながら表示させることを特徴とする請求項１乃至９のいずれか１項に記載のプログラム。
【請求項１１】
タッチパネルへのタッチを解除することでオブジェクトの移動に関して指示可能なゲームにおいて、タッチを解除すべきタイミングである目標タイミングを取得するタイミング取得ステップと、
前記タイミング取得ステップで取得した前記目標タイミングを案内するための案内画像を、少なくとも、前記目標タイミングよりも前のタイミングから前記目標タイミングの間で変化させながら表示させる表示制御ステップと、
タッチが解除されたタイミングと、前記タイミング取得ステップで取得した前記目標タイミングとの関係に基づいて、前記オブジェクトの移動に関する制御を行う移動制御ステップと、
を有することを特徴とするゲーム制御方法。
【請求項１２】
タッチパネルへのタッチを解除することでオブジェクトの移動に関して指示可能なゲームにおいて、タッチを解除すべきタイミングである目標タイミングを取得するタイミング取得手段と、
前記タイミング取得手段で取得した前記目標タイミングを案内するための案内画像を、少なくとも、前記目標タイミングよりも前のタイミングから前記目標タイミングの間で変化させながら表示させる表示制御手段と、
タッチが解除されたタイミングと、前記タイミング取得手段で取得した前記目標タイミングとの関係に基づいて、前記オブジェクトの移動に関する制御を行う移動制御手段と、
を備えたことを特徴とするゲーム制御装置。
【請求項１３】
タッチパネルへのタッチを解除することでオブジェクトの移動に関して指示可能なゲームにおいて、タッチを解除すべきタイミングである目標タイミングを取得するタイミング取得手段と、
前記タイミング取得手段で取得した前記目標タイミングを案内するための案内画像を、少なくとも、前記目標タイミングよりも前のタイミングから前記目標タイミングの間で変化させながら表示させる表示制御手段と、
タッチが解除されたタイミングと、前記タイミング取得手段で取得した前記目標タイミングとの関係に基づいて、前記オブジェクトの移動に関する制御を行う移動制御手段と、
を備えたことを特徴とするゲームシステム。
【手続補正２】
【補正対象書類名】明細書
【補正対象項目名】発明の名称
【補正方法】変更
【補正の内容】
【発明の名称】プログラム、ゲーム制御方法、ゲーム制御装置及びゲームシステム
【手続補正３】
【補正対象書類名】明細書
【補正対象項目名】０００１
【補正方法】変更
【補正の内容】
【０００１】
本発明は、プログラム、ゲーム制御方法、ゲーム制御装置及びゲームシステムに関する。
【手続補正４】
【補正対象書類名】明細書
【補正対象項目名】０００５
【補正方法】変更
【補正の内容】
【０００５】
本発明は上記課題に鑑みてなされたものであって、その目的は、ユーザがタッチパネルを使ってオブジェクト移動に関して指示するゲームの興趣性を向上させることである。
【手続補正５】
【補正対象書類名】明細書
【補正対象項目名】０００６
【補正方法】変更
【補正の内容】
【０００６】
上記課題を解決するために、本発明の一態様に係るプログラムは、タッチパネルへのタッチを解除することでオブジェクトの移動に関して指示可能なゲームにおいて、タッチを解除すべきタイミングである目標タイミングを取得するタイミング取得処理と、前記タイミング取得処理で取得した前記目標タイミングを案内するための案内画像を、少なくとも、前記目標タイミングよりも前のタイミングから前記目標タイミングの間で変化させながら表示させる表示制御処理と、タッチが解除されたタイミングと、前記タイミング取得処理で取得した前記目標タイミングとの関係に基づいて、前記オブジェクトの移動に関する制御を行う移動制御処理と、をコンピュータに実行させる。
本発明の一態様に係るゲーム制御方法は、タッチパネルへのタッチを解除することでオブジェクトの移動に関して指示可能なゲームにおいて、タッチを解除すべきタイミングである目標タイミングを取得するタイミング取得ステップと、前記タイミング取得ステップで取得した前記目標タイミングを案内するための案内画像を、少なくとも、前記目標タイミングよりも前のタイミングから前記目標タイミングの間で変化させながら表示させる表示制御ステップと、タッチが解除されたタイミングと、前記タイミング取得ステップで取得した前記目標タイミングとの関係に基づいて、前記オブジェクトの移動に関する制御を行う移動制御ステップと、を有することを特徴とする。
【手続補正６】
【補正対象書類名】明細書
【補正対象項目名】０００７
【補正方法】変更
【補正の内容】
【０００７】
本発明の一態様に係るゲーム制御装置は、タッチパネルへのタッチを解除することでオブジェクトの移動に関して指示可能なゲームにおいて、タッチを解除すべきタイミングである目標タイミングを取得するタイミング取得手段と、前記タイミング取得手段で取得した前記目標タイミングを案内するための案内画像を、少なくとも、前記目標タイミングよりも前のタイミングから前記目標タイミングの間で変化させながら表示させる表示制御手段と、タッチが解除されたタイミングと、前記タイミング取得手段で取得した前記目標タイミングとの関係に基づいて、前記オブジェクトの移動に関する制御を行う移動制御手段と、を備えたことを特徴とする。
本発明の一態様に係るゲームシステムは、タッチパネルへのタッチを解除することでオブジェクトの移動に関して指示可能なゲームにおいて、タッチを解除すべきタイミングである目標タイミングを取得するタイミング取得手段と、前記タイミング取得手段で取得した前記目標タイミングを案内するための案内画像を、少なくとも、前記目標タイミングよりも前のタイミングから前記目標タイミングの間で変化させながら表示させる表示制御手段と、タッチが解除されたタイミングと、前記タイミング取得手段で取得した前記目標タイミングとの関係に基づいて、前記オブジェクトの移動に関する制御を行う移動制御手段と、を備えたことを特徴とする。